(57)【要約】【課題】ＩＣカードでユーザー認証を行うように構成し、認証作業の簡素化を実現することができるビルディング内の各設備の監視を行う中央監視システムを提供する。【解決手段】本発明はビルディング内に設置された空調設備用コントローラ５、照明設備用コントローラ６、防犯設備用コントローラ７等のビルディング内設備の監視を行う中央監視システムであって、カードリーダーライタ３と接続された中央監視システムメインコンピュータ２を具備し、中央監視システムメインコンピュータ２で実行する操作が、オペレータの認証作業を必要とする操作である場合には、当該オペレータが所持するＩＣカードに記憶されている情報を該カードリーダーライタ３にて読み込み、当該情報に基づいて認証作業を行うように構成されている。【選択図】      図１
2007329811.tif 000002
【特許請求の範囲】
【請求項１】
ビルディング内に設置された空調設備、照明設備、防犯設備等のビルディング内設備の監視を行う中央監視システムにおいて、
少なくともカードリーダーライタと接続された中央監視システムメインコンピュータを具備し、中央監視システムメインコンピュータで実行する操作が、オペレータの認証作業を必要とする操作である場合には、当該オペレータが所持するＩＣカードに記憶されている情報を該カードリーダーライタにて読み込み、当該情報に基づいて認証作業を行うことを特徴とする中央監視システム。
【請求項２】
当該ＩＣカードには権限情報が設定されていることを特徴とする請求項１に記載の中央監視システム。
【請求項３】
オペレータの認証作業を必要とする操作とは、空調設備、照明設備、防犯設備等の該ビルディング内設備の、冷房切換操作、温度設定操作、発停操作、風量変更操作等の操作であることを特徴とする請求項１又は請求項２に記載の中央監視システム。
【請求項４】
オペレータの認証作業を必要とする操作とは、該ビルディング内設備の警報確認操作であることを特徴とする請求項１乃至請求項３のいずれかに記載の中央監視システム。
【請求項５】
オペレータの認証作業を必要とする操作とは、中央監視システムメインコンピュータ自体のシステム設定操作であることを特徴とする請求項１乃至請求項４のいずれかに記載の中央監視システム。
【請求項６】
オペレータの認証作業を必要とする操作が行われた場合には、当該操作内容に操作履歴を記録することを特徴とする請求項１乃至請求項５のいずれかに記載の中央監視システム。
【請求項７】
オペレータは当該オペレータが所持するＩＣカードに係る前記操作履歴情報を取得することができるように設定されていることを特徴とする請求項１乃至請求項６のいずれかに記載の中央監視システム。
【発明の詳細な説明】
【技術分野】
【０００１】
本発明は、ビルディング内に設置された空調設備、照明設備、防犯設備等のビルディング内設備の監視を行う中央監視システムであって、特に、中央監視システムのオペレータの認証が必要となる操作を行うときにおいて、ＩＣカードでユーザー認証を行うように構成したビルディングの中央監視システムに関する。
【背景技術】
【０００２】
ビルディング内に配置した複数の各種センサ、防犯設備からの情報を収集したり、防災設備、電力設備、空調設備や照明設備を集中管理したりするビルディングの中央監視システムが知られている。このようなシステムの一つして、特許文献１（特開２００５−１５７７４４号公報）には、  ビルに設置された監視制御対象の設備の監視情報を取得するとともに、当該設備の制御を行う設備監視制御手段と、前記監視情報を収集するとともに、制御信号を前記設備監視制御手段に送信するセンターサーバと、前記センターサーバと通信を行うとともに、収集された前記監視情報の表示を行う移動式端末装置とを備えたビル管理システムであって、前記設備監視制御手段、前記センターサーバ、および、前記移動式端末装置のそれぞれは、無線ネットワークによりそれらを接続する通信手段を有しており、各前記通信手段は、予め設定されている所定の通信距離内に存在する前記設備監視制御手段、前記センターサーバ、および、前記移動式端末装置を検知する検知部と、前記検知部によって検知したそれらの他装置との間で無線ネットワーク網を構築して、自装置の管理する情報を送受信するとともに、他装置の管理する情報を中継する通信部とを備え、前記移動式端末装置に設けられた前記通信手段は、さらに、前記検知部により検知される他装置のうちで、設置場所が固定されている設備監視制御手段およびセンターサーバの少なくともいずれか一方の位置から、自装置の位置を確認する位置確認部と、前記位置確認部により確認された自装置の位置を中心とする所定の範囲内に設置されている前記設備を検索して、当該設備の監視情報を優先して表示する表示部とを備えることを特徴とするビル管理システムが開示されている。
【特許文献１】特開２００５−１５７７４４号公報
【発明の開示】
【発明が解決しようとする課題】
【０００３】
ところで、従来のビルディングの中央監視システムにおいては、一般的に当該システムへログインする際には、ユーザー名とパスワードを入力して行うユーザー認証が採用されている。このようなシステムにおいては、ユーザー毎又はユーザーグループ毎に細かく操作権限を設定しており、上記のようにログインしたユーザーがシステムの各種操作を行う際には、この権限情報に基づき当該操作を許可するか否かを管理している。
【０００４】
このようなシステムでは、オペレータは、システムへのログインのたび毎に、ユーザー認証を受けるためにユーザー名とパスワードを入力しなければならず、非常に煩わしいものであった。特に、ある操作の際に権限がなく操作不可だった場合、一度ログアウトした上で、権限のある別のユーザーにてログインする必要があった。このような場合は、操作が特に繁雑で、煩わしいものとなる。このような繁雑さを回避するため、このようなシステムでは、一度、特定のオペレータ（管理者レベル）でログインしおき、そのままの状態で２４時間、３６５日使用される、といった使われ方がされており、本来、セキュリティーレベルを向上させるために管理者の権限などが設定されているのにも関わらず、結局は上記のような使われ方をされてしまったのではシステム設計の趣旨からすると本末転倒であった。さらに、このようなシステム運用では、たとえ操作したオペレータが複数の場合であっても、操作履歴上には、管理者レベルのオペレータが操作しているというログが残るのみであり、実際に操作したオペレータに係る情報を残すことができない、といった問題があった。
【０００５】
以上のような問題を解決する方法としては、例えば、認証をログイン時ではなく、ひとつひとつの操作毎にユーザー認証を要求するように設計したシステムが考えられるが、この方法においても、その都度ユーザー名、パスワードを入力する手間は先の方法と変わらないために、結局は、全オペレータが、管理者レベルのオペレータが所有するユーザー名とパスワードを利用する、といった運用に落ち着いてしまい、セキュリティー上問題があった。
【０００６】
以上みてきたとおり、セキュリティーレベルが確保された上で、オペレータが繁雑なユーザー認証を要求されない、というような中央監視システムに対する要請があるにも関わらず、これを実現することができていなかった。
【課題を解決するための手段】
【０００７】
この発明は、上記のような種々の課題を解決するものであって、請求項１に係る発明は、ビルディング内に設置された空調設備、照明設備、防犯設備等のビルディング内設備の監視を行う中央監視システムにおいて、少なくともカードリーダーライタと接続された中央監視システムメインコンピュータを具備し、中央監視システムメインコンピュータで実行する操作が、オペレータの認証作業を必要とする操作である場合には、当該オペレータが所持するＩＣカードに記憶されている情報を該カードリーダーライタにて読み込み、当該情報に基づいて認証作業を行うことを特徴とする。
【０００８】
また、請求項２に係る発明は、請求項１に記載の中央監視システムにおいて、当該ＩＣカードには権限情報が設定されていることを特徴とする。
【０００９】
また、請求項３に係る発明は、請求項１又は請求項２に記載の中央監視システムにおいて、オペレータの認証作業を必要とする操作とは、空調設備、照明設備、防犯設備等の該ビルディング内設備の、冷房切換操作、温度設定操作、発停操作、風量変更操作等の操作であることを特徴とする。
【００１０】
また、請求項４に係る発明は、請求項１乃至請求項３のいずれかに記載の中央監視システムにおいて、オペレータの認証作業を必要とする操作とは、該ビルディング内設備の警報確認操作であることを特徴とする。
【００１１】
また、請求項５に係る発明は、請求項１乃至請求項４のいずれかに記載の中央監視システムにおいて、オペレータの認証作業を必要とする操作とは、中央監視システムメインコンピュータ自体のシステム設定操作であることを特徴とする。
【００１２】
また、請求項６に係る発明は、請求項１乃至請求項５のいずれかに記載の中央監視システムにおいて、オペレータの認証作業を必要とする操作が行われた場合には、当該操作内容に操作履歴を記録することを特徴とする。
【００１３】
また、請求項７に係る発明は、請求項１乃至請求項６のいずれかに記載の中央監視システムにおいて、オペレータは当該オペレータが所持するＩＣカードに係る前記操作履歴情報を取得することができるように設定されていることを特徴とする。
【発明の効果】
【００１４】
本発明によれば、オペレータの認証が必要となる操作を行うときにおいて、従来のように、ユーザー名とパスワードを入力してユーザー認証を行うことなく、ＩＣカードでユーザー認証を行うように構成したので、認証作業の簡素化を実現することができる。このような認証作業の簡素化に付随して、従来のようにアカウント情報を共有したりするといった杜撰なシステム運用がなくなることで、アカウント情報の漏洩防止という効果を期待することもできる。また、オペレータ毎のユーザー認証が徹底されるので、オペレータ毎の実操作情報の操作履歴が取得でき、当該操作履歴情報に基づいて、オペレータは作業日報を作成することもできる。
【発明を実施するための最良の形態】
【００１５】
以下、本発明の実施の形態を図面を参照しつつ説明する。図1は、本発明の実施の形態に係る中央監視システムの全体構成を示す図である。ビル管理装置は、ビルの大型化・高機能化要求に伴い、従来の集中型の制御装置から、設備機器をきめ細かに制御できる分散型の装置構成をとるようになってきている。本実施形態においては、分散型の装置構成に基づいて説明するが、従来の集中型の制御装置に適用することもできる。図１において、１は中央監視システム、２は中央監視システムメインコンピュータ、３はカードリーダー、４はパーソナルコンピュータ、５は空調設備用コントローラ、６は照明設備用コントローラ、７は防犯設備用コントローラ、１０は通信回線である。
【００１６】
中央監視システムメインコンピュータ２は、中央監視システム１全体の制御を司るものであり、ビルディングの監視要員等のオペレータにより操作されることが想定されている。この中央監視システムメインコンピュータ２は、ＣＰＵ、ＲＯＭ、ＲＡＭ、ハードディスクドライブ、ネットワークインターフェイス、ディスプレイ、キーボード、マウス等から構成される周知のコンピュータシステムであるが、特に本発明においては、中央監視システムメインコンピュータ２はカードリーダーライタ３と不図示のカードリーダーライタインターフェイスを介して接続されている。
【００１７】
オペレータが中央監視システムメインコンピュータ２上で、操作権限の要する操作を行おうとする際には、オペレータは、自らが所有するＩＣカードを、このカードリーダーライタ３に読み取らせ、認証を行わせる。このＩＣカードとしては、アンテナコイル等を内蔵し、カードリーダーライタと非接触で無線通信を行う非接触型のものでもよいし、また磁気的、或いは電気的に情報の通信を行うものであってもよいが、本発明の目的を達成するためには、すばやくユーザー認証を行うことができる非接触型のＩＣカードを用いることが望ましい。このようにユーザー情報の入力を非接触型のＩＣカードを用いて自動化することで、使い勝手を損なわずセキュリティーの高い認証機能を実現することができる。
【００１８】
以上のように本発明の中央監視システムにおいては、オペレータが各種操作を行うときにおいて、従来のように、ユーザー名とパスワードを入力してユーザー認証を行うことなく、非接触型のＩＣカードでユーザー認証を行うように構成したので、一つ一つの操作毎にユーザー認証を行ったとしても、オペレータが大きな手間を感じるようなことがない。
【００１９】
ＩＣカードには、少なくとも当該カードを所持するオペレータの氏名、所属等の基本的な情報と、そのＩＣカードによってオペレータが中央監視システムメインコンピュータ２をどのレベルまでの操作をすることが可能かについての権限情報が記憶されている。この権限情報は、ＩＣカードによって、可能な操作の範囲がどの程度であるかを規定するものであり、複数のオペレータの中でも管理的な立場、権限を有する者に対しては、広範囲な操作が可能なＩＣカードを供与し、それ以外の者に対しては、操作が制約されたＩＣカードを供与する、といったような使用形態をとる。
【００２０】
ＩＣカードの記憶容量が十分大きいものを用いる場合と、それほど記憶容量の大きくないものを用いる場合の２通りが考えられるが、前者の場合には、ＩＣカードにはオペレータに係る基本的な情報の他に、オペレータによって中央監視システムメインコンピュータ２の操作が成されたときにはその操作内容をＩＣカードに記憶させるようにする。後者の場合には、ＩＣカードにはオペレータに係る基本的な情報のみを記憶させ、このカードを用いてオペレータが中央監視システムメインコンピュータ２を操作したときには、その操作内容を中央監視システムメインコンピュータ２のハードディスクドライブ等の記憶管理手段に記憶するように構成する。ここで、オペレータによる操作内容を記憶することを、操作履歴を取得する、と称することとする。
【００２１】
パーソナルコンピュータ４は、後述するように中央監視システムメインコンピュータ２と通信回線１０で接続されており、中央監視システムメインコンピュータ２の業務を補完するようなコンピュータとして動作させるものである。このパーソナルコンピュータ４にも、中央監視システムメインコンピュータ２と同様に、カードリーダーライタ３が接続されており、オペレータが所有するＩＣカードをカードリーダーライタ３に読み取らせ、認証を行わせることができるようになっている。先の中央監視システムメインコンピュータ２の補完的な業務とは、例えば、オペレータが作業日報を作成する際などのサポート業務がある。
【００２２】
オペレータの操作履歴がＩＣカードに記憶されている場合には、オペレータはＩＣカードに記憶されている操作履歴をパーソナルコンピュータ４に読み込ませることによって、オペレータは作業日報を作成することができる。また、オペレータの操作履歴がＩＣカードに記憶されていない場合には、オペレータ自身のＩＤ情報に基づいて、中央監視システムメインコンピュータ２に記憶されているオペレータの操作履歴情報をパーソナルコンピュータ４に呼び出すことによって作業日報を作成することができる。
【００２３】
なお、パーソナルコンピュータ４にも中央監視システムメインコンピュータ２のバックアップ的な役割を持たせることも可能である。すなわち、中央監視システムメインコンピュータ２がダウンしたときの代替システムとしてパーソナルコンピュータ４を用いるように設定してもよい。
【００２４】
空調設備用コントローラ５は、ビルディング内に接地された複数の空調機器（不図示） に対して発停、温度設定、運転モード設定等の制御指令を発するコントローラであり、中央監視システム１における空調設備システムを構成するためのものである。照明設備用コントローラ６は、ビルディング内に接地された複数の照明機器（不図示）に対して、点灯、消灯等の制御指令を発するコントローラであり、中央監視システム１における照明設備システムを構成するためのものである。防犯設備用コントローラ７は、ビルディング内に接地されたカメラやセンサ（不図示） に対して指令を行ったり、カメラやセンサからの情報を受信したりするコントローラであり、中央監視システム１における防犯設備システムを構成するためのものである。これら空調設備システム、照明設備システム、防犯設備システムは、中央監視システムメインコンピュータ２の下に統合され運用がなされている。なお、中央監視システムメインコンピュータ２は、これらのシステムの他に、受配電システム、防災システム等をコントロールするように構成してもよい。
【００２５】
通信回線１０は、中央監視システムメインコンピュータ２、前記の空調設備用コントローラ５（空調設備システム）、前記の照明設備用コントローラ６（照明設備システム）、前記の防犯設備用コントローラ７（防犯設備システム）、パーソナルコンピュータ４同士を接続して、それぞれの間でデータ通信を行えるようにするものである。
【００２６】
中央監視システム１の機能には、空調機器、照明機器などの設備機器のスケジュール、グループ等を設定する設定機能、設備機器の発停等の運転状態を制御、モニタする操作・監視機能、設備機器の故障発生、故障内容、故障履歴を監視するメンテナンス機能等があり、これらの機能を操作するためには、オペレータの認証作業を必要とするよう設定される。また、中央監視システム１において、オペレータの認証作業を必要とする操作には、空調設備、照明設備、防犯設備等の該ビルディング内設備の冷房切換操作、温度設定操作、発停操作、風量変更操作等の操作が含まれている。
【００２７】
以上のように構成された中央監視システム１を、ＩＣカードを用いて操作する際の流れについて説明する。図２は、本発明の実施の形態に係る中央監視システムの動作の流れの概略について示す図である。なお、図２は、コンピュータのフローチャートを示すような図ではなく、あくまで動作の概略を示すものであることを留意されたい。図２において、ステップＳ０において中央監視システムメインコンピュータ２が起動されると、次にステップＳ１において、中央監視システムメインコンピュータ２のディスプレイ等の表示手段にオペレータ操作メニューが表示され、オペレータはこのメニューの中から所望の操作を選択することができる。ここでは、オペレータ操作メニューとしては、「画面閲覧切替」、「機器発停・設定」、「警報確認操作」、「システム設定操作」の４種類があるものと説明するが、必要に応じてその他の操作メニューを用意してもよい。
【００２８】
ステップＳ１において、オペレータが操作メニューの中から「画面閲覧切替」（Ｓ２）を選択すると、この場合はユーザー認証等を要することもなく、ステップＳ３にて実行されて、ステップＳ１６にて入力待ちの状態へと戻る。実際の運用状況から考えると、中央監視システムメインコンピュータ２のディスプレイ上の監視画面は常に表示され、オペレータ（監視要員）は誰でも、表示のための操作が許可され、各画面を閲覧できることが望ましい。よって、システム起動時は、表示閲覧のみが許可されたモードにて起動し、各種操作時に必要なユーザー認証を行うものとする。
【００２９】
ステップＳ１において、オペレータが操作メニューの中から「機器発停・設定」（Ｓ４）を選択すると、各種機器の発停・設定に係る操作が行えるようになっている。具体例として、空調設備の発停を例に説明する。図３は、本発明の実施の形態に係る中央監視システムの空調設備の発停に係る設定画面の一例を示す図である。図３では、本発明に係る中央監視システム１の管理するビルディングの１４階の一部の平面図が例として示されており、この画面は中央監視システムメインコンピュータ２のディスプレイ上に表示される。図３の画面例において、１４０１号室の「空調機−１」、「空調機−２」、特別室の「空調機−１」、１４０６号室の「空調機−１」が発停に係る設定を行い得るようになっている。ここでは、カーソル１１によって、特別室の「空調機−１」を選択して、発停を設定する例について説明する。
【００３０】
特別室の「空調機−１」を選択すると、この操作には権限が要求されるので、ステップＳ５において認証が行われる。この段階における画面例を、図４及び図５を参照しつつ説明する。図４及び図５は、本発明の実施の形態に係る中央監視システムの認証に係る画面の一例を示す図である。図４は、オペレータが認証を受ける前の段階の画面であり、オペレータに対する指示である「この操作を行うためには、ＩＣカードによる認証が必要です。カードリーダーへＩＣカードを近づけてください。」なる表示と、操作権限が「ＮＧ」であることの表示が示される。さらに、図４の画面に示されるように、特別室空調機―１の起動、停止に係るＧＵＩは薄く表示されて、操作が不可能であることをオペレータに認識させるようになっている。ここで、オペレータは、画面の指示に従い、カードリーダーライタ３にＩＣカードを近づけて、カードによる認証を実行する。この認証が成功すると、図５に示すように操作権限が「ＯＫ」と表示され、特別室空調機―１の起動、停止に係るＧＵＩは通常に表示されて、操作が可能であることをオペレータに認識させるようになる。
【００３１】
ステップＳ５において、不正なＩＣカードが用いられ、認証が成功しなかったような場合には、ある一定時間の後に、ステップＳ１に戻る。或いは、図４の画面表示の後に、認証のためにＩＣカードがカードリーダーライタ３に近づけられなかったような場合にも、ステップＳ１に戻るように設定する。
【００３２】
さて、特別室空調機―１の起動、停止に係るＧＵＩが通常に表示されて、操作が可能となると、オペレータは、例えば、図５に示すように「起動」のボタンをカーソル１１で押下する。すると、ステップＳ６にて、操作履歴の取得がなされて、さらにステップＳ７に進み、実際の特別室空調機―１の起動がなされる。最後には、ステップＳ１６に進み、入力待ちの状態となる。
【００３３】
ステップＳ６における操作履歴の取得では、ＩＣカードの所有者に係る情報と操作内容に係る情報を中央監視システムメインコンピュータ２の記憶手段等に記録する。もし、ＩＣカードとして、操作履歴を保存できる程度の容量を有するものが使用されている場合には、このＩＣカードにも操作履歴を記録する。図６は、本発明の中央監視システムの操作履歴で記録する情報の一例を示すものである。図６に示すように、操作履歴として保存する情報は「日にち」、「時刻」、「操作内容」、「氏名」、「所属」等が挙げられる。
【００３４】
以上のように、本発明の中央監視システムによれば、操作の認証作業は、オペレータが所有するＩＣカードをカードリーダーライタ３にかざすだけなので、認証作業の簡素化とアカウント情報の漏洩防止という効果を期待することができる。
【００３５】
ステップＳ１において、オペレータが操作メニューの中から「警報確認操作」（Ｓ８）を選択すると、各種警報の確認に係る操作が行えるようになっている。図７は、本発明の実施の形態に係る中央監視システムの警報確認に係る画面の一例を示す図である。図７では、本発明に係る中央監視システム１が管理する空調設備システム、照明設備システム、防犯設備システムから受信した警報情報の一覧が示され、この画面は中央監視システムメインコンピュータ２のディスプレイ上に表示される。図３の画面例においては、警報メッセージとして「熱源一括故障」、「フィルタ目詰まり」、「１Ｆ照明状態不一致警報」の三種類のメッセージと共に、その発生日時、軽重の区別、オペレータによる確認が済んでいるか否かが表示されている。ここでは、カーソル１１によって「熱源一括故障」の行を選択して、警報を確認する例について説明する。
【００３６】
「熱源一括故障」の行を選択すると、この操作には権限が要求されるので、ステップＳ９において認証が行われる。この段階における画面例を、図４及び図５を参照しつつ説明する。図８及び図９は、本発明の実施の形態に係る中央監視システムの認証に係る画面の一例を示す図である。図８は、オペレータが認証を受ける前の段階の画面であり、オペレータに対する指示である「この操作を行うためには、ＩＣカードによる認証が必要です。カードリーダーへＩＣカードを近づけてください。」なる表示と、操作権限が「ＮＧ」であることの表示が示される。さらに、図８の画面に示されるように、「熱源一括故障」に係るＧＵＩは薄く表示されて、操作が不可能であることをオペレータに認識させるようになっている。ここで、オペレータは、画面の指示に従い、カードリーダーライタ３にＩＣカードを近づけて、カードによる認証を実行する。この認証が成功すると、図９に示すように操作権限が「ＯＫ」と表示され、「熱源一括故障」に係るＧＵＩは通常に表示されて、操作が可能であることをオペレータに認識させるようになる。
【００３７】
ステップＳ９において、不正なＩＣカードが用いられ、認証が成功しなかったような場合には、ある一定時間の後に、ステップＳ１に戻る。或いは、図８の画面表示の後に、認証のためにＩＣカードがカードリーダーライタ３に近づけられなかったような場合にも、ステップＳ１に戻るように設定する。
【００３８】
さて、「熱源一括故障」に係るＧＵＩが通常に表示されて、操作が可能となると、オペレータは、例えば、図９に示すように「確認」のボタンをカーソル１１で押下する。すると、ステップＳ１０にて、操作履歴の取得がなされて、さらにステップＳ１１に進み、警報の確認が実行される。後には、ステップＳ１６に進み、入力待ちの状態となる。
【００３９】
ステップＳ１０における操作履歴の取得では、ＩＣカードの所有者に係る情報と操作内容に係る情報を中央監視システムメインコンピュータ２の記憶手段等に記録する。もし、ＩＣカードとして、操作履歴を保存できる程度の容量を有するものが使用されている場合には、このＩＣカードにも操作履歴を記録する。図１０は、本発明の中央監視システムの操作履歴で記録する情報の一例を示すものである。図１０に示すように、操作履歴として保存する情報は「日にち」、「時刻」、「確認内容」、「氏名」、「所属」等が挙げられる。
【００４０】
以上のように、警報が発生した場合、未確認警報として警報メッセージが中央監視システムメインコンピュータ２のディスプレイ上の監視画面に表示される。警報の内容を見たオペレータ（監視要員）は、上記のような所定の操作にて自分のＩＣカードを読み取らせ、認証を行った上で当該警報を確認した旨をシステムへ登録することができるようになっている。この警報は確認済みとして表示され、確認者の情報を確実に取得できるため、複数人のオペレータで監視にあたる場合は有効となる。
【００４１】
以上、本発明の中央監視システムによれば、警報に係る認証作業も、オペレータが所有するＩＣカードをカードリーダーライタ３にかざすだけなので、認証作業の簡素化とアカウント情報の漏洩防止という効果を期待することができる。
【００４２】
ステップＳ１において、オペレータが操作メニューの中から「システム設定操作」（Ｓ１２）を選択すると、各種システムの設定や変更に係る操作が行えるようになっている。システム設定操作の具体例としては、例えば、新たなオペレータを追加するような設定を行ったり、ＩＣカードに付与された権限を拡大するような設定を行ったり、といったことが挙げられる。システム設定操作を行おうとするオペレータはステップＳ１３において認証を受ける必要があるが、この認証作業においても、これまで説明してきたように、オペレータは、自らのＩＣカードをカードリーダーライタ３に近づけてみて、それがシステムによって認証されるかどうか、で済むので、操作の簡素化や、アカウント情報漏洩の防止という効果がある。オペレータがステップＳ１３において認証されると、ステップＳ１４で操作履歴を中央監視システムメインコンピュータ２の記憶手段等に記録しつつ、オペレータはステップＳ１５にて各種設定操作を実行することができる。
【００４３】
本発明の中央監視システムによれば、システム設定操作の認証作業も、オペレータが所有するＩＣカードをカードリーダーライタ３にかざすだけなので、認証作業の簡素化とアカウント情報の漏洩防止という効果を期待することができる。
【００４４】
以上のとおり、各種操作の際には、中央監視システムメインコンピュータ２はＩＣカードで読み取ったユーザー情報（操作内容、個人名、所属など）を操作履歴へ保存しているが、これにより前述したように各オペレータは、これらの操作履歴を読み出して、日報作成のために利用することができる。従来の中央監視システムでは、オペレータは自らの記憶内容に沿って、日報を作成していたが、本発明の中央監視システムによれば、操作毎にオペレータ自らが所有するＩＣカードにて認証を行うシステム構成となっているので、オペレータは中央監視システムメインコンピュータ２の記憶手段内やＩＣカード内に保存されている情報をパーソナルコンピュータ４に取り込んで、簡便に作業日報を作成することができる。
【図面の簡単な説明】
【００４５】
【図１】本発明の実施の形態に係る中央監視システムの全体構成を示す図である。
【図２】本発明の実施の形態に係る中央監視システムの動作の流れの概略について示す図である。
【図３】本発明の実施の形態に係る中央監視システムの空調設備の発停に係る設定画面の一例を示す図である。
【図４】本発明の実施の形態に係る中央監視システムの認証に係る画面の一例を示す図である。
【図５】本発明の実施の形態に係る中央監視システムの認証に係る画面の一例を示す図である。
【図６】本発明の中央監視システムの操作履歴で記録する情報の一例を示すものである。
【図７】本発明の実施の形態に係る中央監視システムの警報確認に係る画面の一例を示す図である。
【図８】本発明の実施の形態に係る中央監視システムの認証に係る画面の一例を示す図である。
【図９】本発明の実施の形態に係る中央監視システムの認証に係る画面の一例を示す図である。
【図１０】本発明の中央監視システムの操作履歴で記録する情報の一例を示すものである。
【符号の説明】
【００４６】
１・・・中央監視システム、２・・・中央監視システムメインコンピュータ、３・・・カードリーダー、４・・・パーソナルコンピュータ、５・・・空調設備用コントローラ、６・・・照明設備用コントローラ、７・・・防犯設備用コントローラ、１０・・・通信回線、１１・・・カーソル
【図１】
2007329811.tif 000003
【図２】
2007329811.tif 000004
【図３】
2007329811.tif 000005
【図４】
2007329811.tif 000006
【図５】
2007329811.tif 000007
【図６】
2007329811.tif 000008
【図７】
2007329811.tif 000009
【図８】
2007329811.tif 000010
【図９】
2007329811.tif 000011
【図１０】
2007329811.tif 000012